【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
A）
A1）  25〜70wt%の、第二級ヒドロキシ官能性ポリアクリレート分散体またはポリアクリレートエマルジョン；
A2）  5〜50wt%の、脂肪族ポリウレタン分散体；
A3）  20〜70wt%の、ヒドロキシ官能性ポリエステル−ポリウレタン分散体であって、分子量500〜2500g/molのポリエステルを少なくとも75wt%の程度まで含んで成る分散体
を含んで成る水性結合剤混合物；および
B）  少なくとも1つの架橋剤；
を含んで成り、
A1）〜A3）の3つ成分の少なくとも2つを必ず含有し、かつ、1つの成分A1）および／またはA3）を少なくとも35wt%の量で必ず含有する水性被覆組成物。
【請求項２】
C）  ポリウレタン分散体C1）、ポリアクリレートエマルジョンC2）、およびポリウレタン−ポリアクリレート分散体C3）から成る群から選択される1つまたはそれ以上の分散体
を含んで成る、請求項1に記載の水性被覆組成物。
【請求項３】
A）  15〜90wt%の、水性結合剤混合物；
B）  5〜40wt%の、少なくとも1つの架橋剤；および
C）  5〜65wt%の、ポリウレタン分散体C1）、ポリアクリレートエマルジョンC2）、およびポリウレタン−ポリアクリレート分散体C3）から成る群から選択される1つまたはそれ以上の分散体
［A）、B）およびC）のパーセントは合計100wt%である］
を含んで成る、請求項1または2に記載の水性被覆組成物。
【請求項４】
C）  ポリウレタン分散体C1）、ポリアクリレートエマルジョンC2）、およびポリウレタン−ポリアクリレート分散体C3）から成る群から選択される1つまたはそれ以上の分散体；および
D）  水希釈性ヒドロキシ官能性ポリエステル樹脂
を含んで成る、請求項1に記載の水性被覆組成物。
【請求項５】
A）  15〜89.5wt%の、水性結合剤混合物；
B）  5〜40wt%の、少なくとも1つの架橋剤；
C）  5〜65wt%の、ポリウレタン分散体C1）、ポリアクリレートエマルジョンC2）、およびポリウレタン-ポリアクリレート分散体C3）から成る群から選択される1つまたはそれ以上の分散体；および
D）  0.5〜30wt%の、水希釈性ヒドロキシ官能性ポリエステル樹脂
［A）、B）、C）およびD）のパーセントは合計で100wt%である］
を含んで成る、請求項1または4に記載の水性被覆組成物。
【請求項６】
D）  水希釈性ヒドロキシ官能性ポリエステル樹脂
を含んで成る、請求項1に記載の水性被覆組成物。
【請求項７】
A）  30〜94.5wt%の、水性結合剤混合物；
B）  5〜40wt%の、少なくとも1つの架橋剤；および
D）  0.5〜30wt%の、水希釈性ヒドロキシ官能性ポリエステル樹脂；
［A）、B）およびD）のパーセントは合計で100wt%である］
を含んで成る、請求項1または6に記載の水性被覆組成物。
【請求項８】
請求項1に記載の水性被覆組成物を含んで成る耐チップ下塗剤。
【請求項９】
支持体および請求項1に記載の水性被覆組成物から成る少なくとも1つの被膜を有して成る塗装系。
【請求項１０】
支持体は、プラスチック、木材、金属、無機物質、織物、革、ガラスおよびそれらの組合せから成る群から選択される、請求項9に記載の塗装系。
【手続補正２】
【補正対象書類名】明細書
【補正対象項目名】０００３
【補正方法】変更
【補正の内容】
【０００３】
そのような多層被覆剤、またはそのような多層被覆剤における各塗料の製造は、多くの先行技術文献に記載されている。
【手続補正３】
【補正対象書類名】明細書
【補正対象項目名】０００４
【補正方法】変更
【補正の内容】
【０００４】
サーフェーサー被膜の機能は、車体面の不均一さを均一にし、プライマーへの有効な付着を確実にし、同時に、被覆剤の弾性によって、例えばストーンチッピングによって生じる深い損傷の原因からの保護を確実にすることを包含する。このサーフェーサーは、2被膜で適用され、1つの被膜は車体面の不均一さを均一にすることを目的とし、第2被膜は耐ストーンチップ特性を生じることを目的としている。しかし、先行技術文献には、1つのサーフェーサー被膜によって両方の要求を満たす水性サーフェーサー系が既に記載されている。
【手続補正４】
【補正対象書類名】明細書
【補正対象項目名】０００９
【補正方法】変更
【補正の内容】
【０００９】
従って、本発明の目的は、耐ストーンチップサーフェーサーの特性だけでなく下塗剤の特性もそれ自体に合わせ持ち、それによって、プライマー、サーフェーサー、下塗剤およびクリアコートから成る4被膜塗装系の品質を向上させるか、または4被膜塗装系における被膜の1つを不要にすることさえ可能にする、結合剤組合せを提供することである。この場合に満たすべき重要な要件は、信頼できる加工特性だけでなく、非常に優れた下塗剤付着性、効果的な弾力性および耐ストーンチップ特性、および表面不均一の充分な均一化である。他の目的は、優れた上塗り適合性および再仕上げ可能性(refinishability)、非常に優れたフィルム光学特性、例えば、レベリング、メタリック効果およびDOI値（画像の鮮明度(distinction of image)）、最適顔料湿潤、並びに水、溶剤、環境、光および天候の作用に対する高い耐性を包含する。結合剤組合せが、貯蔵中に充分に安定性であることも望ましい。
【手続補正５】
【補正対象書類名】明細書
【補正対象項目名】００１５
【補正方法】変更
【補正の内容】
【００１５】
第二級ポリアクリレート分散体A1）の製造に好適なモノマーの例は、カルボキシ官能性ラジカル重合性モノマー、例えば、アクリル酸、メタクリル酸、β-カルボキシエチルアクリレート、クロトン酸、フマル酸、マレイン酸（無水物）、イタコン酸、または二塩基酸および／もしくは無水物のモノアルキルエステル、例えば、モノアルキルマレエートである。アクリル酸またはメタクリル酸を使用するのが好ましい。
【手続補正６】
【補正対象書類名】明細書
【補正対象項目名】００３９
【補正方法】変更
【補正の内容】
【００３９】
好ましいヒドロキシ官能性ポリエステル-ポリアクリレート分散体は、
a）  20〜70wt%の、アルコール成分に脂肪族C1〜C18炭化水素基を有する(メタ)アクリル酸エステルおよび／またはビニル芳香族化合物；
b）  3〜35wt%の、ヒドロキシ官能性（メタ）アクリル酸エステル；
c）  2〜8wt%の、酸官能性モノマー、例えば、アクリル酸またはメタクリル酸；
から成る混合物を、
d）  75〜10wt%の、ヒドロキシ官能性ポリエステルであって、適切であれば、二重結合を含有する成分の組込みによって、グラフト重合できる基を有するヒドロキシ官能性ポリエステル
の存在下に、ラジカル開始重合させることによって得られる。
【手続補正７】
【補正対象書類名】明細書
【補正対象項目名】００４５
【補正方法】変更
【補正の内容】
【００４５】
好適なポリウレタン分散体A）を製造するために、典型的には、下記の原料を使用し、互いに反応させる。
1）  親水基をポリウレタンに組み込むための少なくとも1つのNCO反応性単位、例えば、ヒドロキシカルボン酸（例えば、ジメチロール酢酸、2,2-ジメチロールプロピオン酸、2,2-ジメチル酪酸、2,2-ジメチロールペンタン酸、ジヒドロキシコハク酸、ヒドロキシピバル酸）またはそのような酸の混合物、ヒドロキシスルホン酸、アミノカルボン酸（例えば、イソホロンジアミンまたはエチレンジアミンとアクリル酸とのマイケル付加物）、アミノスルホン酸（例えばアミノエチルエタンスルホン酸）、ヒドロキシ−またはアミノ-官能性ホスホン酸、および／または、分子量範囲350〜2500g/molの1、2または3官能性ポリエチレンオキシド単位（種々の親水化剤の混合物も使用できる）。成分1）は、安定な水性分散体が得られる量で使用される。
【手続補正８】
【補正対象書類名】明細書
【補正対象項目名】００５３
【補正方法】変更
【補正の内容】
【００５３】
ポリエーテルポリオールの例は、スチレンオキシド、エチレンオキシド、プロピレンオキシド、テトラヒドロフラン、ブチレンオキシド、エピクロロヒドリンの重付加物、およびそれらの共付加物およびグラフト生成物、並びに多価アルコールまたはそれらの混合物の縮合によって得られるポリエーテルポリオール、および多価アルコール、アミンおよびアミノアルコールのアルコキシル化によって得られるポリエーテルポリオールである。
【手続補正９】
【補正対象書類名】明細書
【補正対象項目名】００５４
【補正方法】変更
【補正の内容】
【００５４】
前記のポリオールに基づくブロックコポリマー、例えば、ポリエーテル−ポリエステルまたはポリカーボネート−ポリエステルまたはポリカーボネート−ポリエーテルを使用することもできる。
【手続補正１０】
【補正対象書類名】明細書
【補正対象項目名】００９６
【補正方法】変更
【補正の内容】
【００９６】
本発明の被覆組成物は、耐チップ下塗剤を形成するのに特に好適である。または、それらは、単一被膜または多重被膜用途のための、所望される透明、着色または艶消し被覆材料を製造するのに使用できる。
【手続補正１１】
【補正対象書類名】明細書
【補正対象項目名】００９７
【補正方法】変更
【補正の内容】
【００９７】
本発明の被覆組成物は、例えば、自動車仕上げ、または軟感触被覆に好適である。これらの用途における好適な支持体は、プラスチック、木材、金属、無機物質、織物（布帛)、革および／またはガラスである。
【手続補正１２】
【補正対象書類名】明細書
【補正対象項目名】００９８
【補正方法】変更
【補正の内容】
【００９８】
本発明の被覆組成物は、種々の用途のいずれかに関して、所望される透明、着色または艶消し被覆材料を製造するのに使用することもでき、これらの被覆材料は、単一被膜または多重被膜用途を意図している。
【手続補正１３】
【補正対象書類名】明細書
【補正対象項目名】０１２８
【補正方法】変更
【補正の内容】
【０１２８】
得られた試験結果は以下の通りである。
【表３】
2008115385.tif 000001
【手続補正１４】
【補正対象書類名】明細書
【補正対象項目名】０１３０
【補正方法】変更
【補正の内容】
【０１３０】
得られた試験結果は以下の通りである。
【表４】
2008115385.tif 000002